(57)【要約】【課題】慣性ロック機能を備えたレバー式コネクタにおいて、ロックアームによるレバーのロック動作が確実に行われるようにする。【解決手段】レバー３０を回動して両ハウジング１０，２０を嵌合する過程では、係止面２３と突当面３９との係止が解除されることにより発生したレバー３０の慣性が、ロックアーム３５とロック部２２との係止によるロック状態となる直前において機能するため、ロックアーム３５が弾性撓みしつつロック部２２に係止するときのレバーの慣性力は、十分に大きい。したがって、レバー３０が確実に正規嵌合位置に到達するとともに、ロックアーム３５とロック部２２との係止によるレバー３０のロックが確実に行われる。【選択図】  図２
2004288442.tif 000002
【特許請求の範囲】
【請求項１】
第１ハウジングと、
前記第１ハウジングと嵌合可能な第２ハウジングと、
前記第１ハウジングに回動可能に支持され、回動に伴って前記第１と第２の両ハウジングを嵌合させるレバーとを備え、
前記レバーと前記第２ハウジングのうちいずれか一方にはロックアームが設けられるとともに他方にはロック部が設けられ、
前記レバーが正規嵌合位置に至る際には、前記ロックアームが弾性撓みしつつ前記ロック部を乗り越えるとともに弾性復帰した前記ロックアームが前記ロック部に係止することで前記レバーが正規嵌合位置にロックされるようにしたレバー式コネクタにおいて、
前記レバーと前記第２ハウジングのうちいずれか一方には撓みロック片が設けられるとともに他方には係止部が設けられ、
前記レバーを嵌合方向へ回動する過程では、前記レバーが正規嵌合位置の直前であって前記ロックアームが前記ロック部に当接して弾性撓みするより前の位置まで達した状態において、前記撓みロック片と前記係止部とが互いに突き当たることで前記レバーの回動が規制され、
この突き当て状態において、前記レバーに回動力を付与することで、前記撓みロック片が弾性撓みしつつ前記係止部との突き当てを解除し、解除直後の慣性により前記レバーの回動が正規嵌合位置まで一気に進むと同時に、前記ロックアームが前記ロック部を乗り越えて前記レバーをロック状態にする構成としたことを特徴とするレバー式コネクタ。
【請求項２】
前記ロックアームが前記撓みロック片を兼ねているとともに、前記ロック部が前記係止部を兼ねていることを特徴とする請求項１記載のレバー式コネクタ。
【請求項３】
前記第２ハウジングは、前記第１ハウジング及び前記レバーを収容可能な嵌合凹部を有し、
前記レバーは、前記レバーを回動操作するための操作部と、この操作部から回動中心軸と略直角方向に延出するアーム部とを有し、
前記アーム部が、前記第１ハウジングの外面と前記嵌合凹部の内面との隙間に嵌入され、
前記アーム部に前記撓みロック片が支持され、
前記第２ハウジングに前記係止部が設けられ、
前記撓みロック片の弾性撓み方向が、前記レバーの回動中心軸と略同方向とされていることを特徴とする請求項１又は請求項２記載のレバー式コネクタ。
【請求項４】
前記撓みロック片が、前記アーム部に両端支持された形態とされていることを特徴とする請求項３記載のレバー式コネクタ。
【発明の詳細な説明】
【０００１】
【発明の属する技術分野】
本発明は、慣性ロック手段を備えたレバー式コネクタに関するものである。
【０００２】
【従来の技術】
慣性ロック機能を備えたレバー式コネクタとして、特許文献１に記載されているものがある。このレバー式コネクタは、雄ハウジングのフード部の側壁に撓みロック片を形成し、その撓みロック片にレバーを係止させることで、レバーを初期位置に保持しておくようになっている。この状態から、雄ハウジングのフード部に雌ハウジングを浅く嵌合し、レバーのカム溝の入口に雌ハウジングのカムピンを進入させる。そして、両ハウジングの嵌合抵抗を上回る大きな回動操作力をレバーに付与すると、撓みロック片が弾性撓みしつつレバーから解離し、解離直後の慣性によってレバーの回動が一気に正規嵌合位置まで進み、レバーの回動に伴ってカム溝とカムピンとの係合によるカム作用により、雌雄両ハウジングが正規嵌合状態に至る。正規嵌合状態では、ロックアームが弾性撓みしつつロック部に係止することによってレバーが正規嵌合位置にロックされる。
【０００３】
【特許文献１】
特開平１０−２１４６５３号公報
【０００４】
【発明が解決しようとする課題】
撓みロック片とレバーとの係止が解除されることによるレバーの慣性力は、レバーの回動の初期に発生するようになっているため、レバーの回動が進んで正規の嵌合位置まで到達した時点では、レバーの慣性力は当初に比べて弱まることは避けられない。
一方、正規嵌合状態に達してレバーのロックがかかるときには、ロックアームが弾性撓みしつつロック部に係止するのであるが、このロックアームの弾性抵抗はレバーの回動を阻止する力として作用する。
【０００５】
そのため、ロックアームがロック部に当接した時点で、ロックアームによるロックがかかってないにも拘わらず、作業者が正規嵌合されたロック状態になったものと勘違いし、レバーの回動操作を止めてしまう虞がある。
本願発明は上記事情に鑑みて創案され、慣性ロック機能を備えたレバー式コネクタにおいて、ロックアームによるレバーのロック動作が確実に行われるようにすることを目的としている。
【０００６】
【課題を解決するための手段】
請求項１の発明は、第１ハウジングと、前記第１ハウジングと嵌合可能な第２ハウジングと、前記第１ハウジングに回動可能に支持され、回動に伴って前記第１と第２の両ハウジングを嵌合させるレバーとを備え、前記レバーと前記第２ハウジングのうちいずれか一方にはロックアームが設けられるとともに他方にはロック部が設けられ、前記レバーが正規嵌合位置に至る際には、前記ロックアームが弾性撓みしつつ前記ロック部を乗り越えるとともに弾性復帰した前記ロックアームが前記ロック部に係止することで前記レバーが正規嵌合位置にロックされるようにしたレバー式コネクタにおいて、前記レバーと前記第２ハウジングのうちいずれか一方には撓みロック片が設けられるとともに他方には係止部が設けられ、前記レバーを嵌合方向へ回動する過程では、前記レバーが正規嵌合位置の直前であって前記ロックアームが前記ロック部に当接して弾性撓みするより前の位置まで達した状態において、前記撓みロック片と前記係止部とが互いに突き当たることで前記レバーの回動が規制され、この突き当て状態において、前記レバーに回動力を付与することで、前記撓みロック片が弾性撓みしつつ前記係止部との突き当てを解除し、解除直後の慣性により前記レバーの回動が正規嵌合位置まで一気に進むと同時に、前記ロックアームが前記ロック部を乗り越えて前記レバーをロック状態にする構成とした。
【０００７】
請求項２の発明は、請求項１の発明において、前記ロックアームが前記撓みロック片を兼ねているとともに、前記ロック部が前記係止部を兼ねている構成とした。
請求項３の発明は、請求項１又は請求項２の発明において、前記第２ハウジングは、前記第１ハウジング及び前記レバーを収容可能な嵌合凹部を有し、前記レバーは、前記レバーを回動操作するための操作部と、この操作部から回動中心軸と略直角方向に延出するアーム部とを有し、前記アーム部が、前記第１ハウジングの外面と前記嵌合凹部の内面との隙間に嵌入され、前記アーム部に前記撓みロック片が支持され、前記第２ハウジングに前記係止部が設けられ、前記撓みロック片の弾性撓み方向が、前記レバーの回動中心軸と略同方向とされている構成とした。
【０００８】
請求項４の発明は、請求項３の発明において、前記撓みロック片が、前記アーム部に両端支持された形態とされている構成とした。
【０００９】
【発明の作用及び効果】
［請求項１の発明］
レバーの回動によって両ハウジングを嵌合する過程では、撓みロック片と係止部との係止が解除されることによるレバーの慣性が、ロックアームとロック部との係止によるロック状態となる直前において機能するため、ロックアームが弾性撓みしつつロック部に係止するときのレバーの慣性力は、十分に大きい。したがって、レバーが確実に正規嵌合位置に到達するとともに、ロックアームとロック部との係止によるレバーのロックが確実に行われる。
【００１０】
［請求項２の発明］
ロックアームが撓みロック片を兼ね、ロック部が係止部を兼ねているので、これらを独立して設けるものに比べて、形状を簡素化することができる。
［請求項３の発明］
撓みロック片が設けられているレバーのアーム部は、第１ハウジングの外面と第２ハウジングの嵌合凹部の内面との隙間に嵌入されているので、レバーの回動中心軸方向に遊動する虞がない。したがって、このアーム部に支持されている撓みロック片が回動中心軸方向に弾性撓みする動作も確実に行われ、慣性ロック機能の信頼性が高い。
【００１１】
［請求項４の発明］
撓みロック片が片持ち状に延出する形態の場合、成型時や成型後の取り扱いの際などに変形を来たすことが懸念されるが、本発明の撓みロック片は両端支持されているので、変形などの虞がない。
【００１２】
【発明の実施の形態】
［実施形態１］
以下、本発明を具体化した実施形態１を図１乃至図３を参照して説明する。
本実施形態１のレバー式コネクタは、第１ハウジング１０と、第２ハウジング２０と、レバー３０とを備えて構成されている。
【００１３】
第１ハウジング１０は、合成樹脂製であり、全体として方形のブロック状をなす。第１ハウジング１０内には、角筒部を有する雌端子金具（図示せず）が収容されている。第１ハウジング１０の左右両外側面には、レバー３０を支持するための一対の支持軸１１が突出形成されている。
第２ハウジング２０は、合成樹脂製であり、上面に開放する方形の嵌合凹部２１を有している。尚、本実施形態では、第２ハウジング２０が全体としてブロック状をなす形態である場合について説明するが、これに限らず、基板部の上面に複数の角形フード部が並んでいてその１つの角形フード部が第２ハウジング２０を構成するものであってもよい。嵌合凹部２１内においては、その底面から雄端子金具（図示せず）のタブが上向きに突出されている。
【００１４】
嵌合凹部２１の前面壁には、その上端内面から内向き（後方）へ突出するロック部２２が形成されている。このロック部２２は、慣性ロック手段を構成する係止部の機能を兼ねるものであって、その上面は水平よりも僅かに後方へ下り勾配となった係止面２３とされているとともに、下面はほぼ水平なロック面２４となっている。嵌合凹部２１の左右両側壁には、その内面から内向きに突出する一対の円柱状をなすカムフォロア２５が形成されている。
【００１５】
レバー３０は、操作部３１の左右両端から一対の板状のアーム部３２を延出したものであり、アーム部３２の軸受孔３３を支持軸１１に嵌合させることにより、第１ハウジング１０に対して回動可能に支持されている。アーム部３２には、その入口を外周縁に開口させたカム溝３４が形成されている。操作部３１における左右方向中央位置には、ロックアーム３５が形成されている。ロックアーム３５は、側方（レバー３０の回動中心軸と同方向）から見ると、レバー３０が嵌合方向へ回動するときの操作部３１の変位方向（図１〜３における時計回り方向）とは反対方向へ片持ち状に延出している。かかる片持ち支持形態のロックアーム３５は、その支持端部（図２，３における下端部）を支点として延出端側を径方向内側（図３における右側）へ変位させるように弾性撓みし得るようになっている。ロックアーム３５の径方向外側の面には凹部３６が形成され、この凹部３６には、ロック面２４に当接可能な当接面３７が形成されている。また、ロックアーム３５の径方向外面における凹部３６よりも支持端部に近い位置には切欠部３８が形成され、この切欠部３８には、係止面２３と係止可能な突当面３９が形成されている。
【００１６】
次に、本実施形態の作用を説明する。
第２ハウジング２０は、その嵌合凹部２１が上向きに開口するように待機している。第１ハウジング１０においては、予め、レバー３０がカム溝３４の入口を下向きにする姿勢（ほぼ起立した姿勢）に保持されている。この状態で第１ハウジング１０及びアーム部３２の一部を嵌合凹部２１内に落とし込むように嵌合させ、カム溝３４の入口をカムフォロア２５に嵌合させる。この状態から、操作部３１に手や指を宛がって図１〜３における反時計回り方向へ回動させる。すると、カム溝３４とカムフォロア２５との係合によるカム作用により、レバー３０の回動の進行に伴なって第１ハウジング１０が更に深く嵌合凹部２１内に嵌合されていく。
【００１７】
そして、レバー３０が正規嵌合位置の直前であって、ロックアーム３５の当接面３７が第２ハウジング２０のロック面２４に係止するより前の慣性付与位置（ロックアーム３５が弾性撓みする前の位置）まで回動が進むと、図２に示すように、レバー３０の突当面３９が第２ハウジング２０の係止面２３に当接する状態に至る。このときの突当面３９は、操作部３１の変位方向（周方向）に対してほぼ直角であるが、係止面２３は、操作部３１の変位方向に対して直角に近い傾斜方向となっている。また、係止面２３と突当面３９との係止方向は、嵌合方向への操作部３１の変位方向とほぼ同じ方向であるが、係止面２３と突当面３９との係止代は、後述するロック面２４と当接面３７との係止代よりも小さい。この係止面２３と突当面３９との係止により、レバー３０は、一旦、慣性付与位置において嵌合方向への回動を規制される。
【００１８】
この状態から、操作部３１に対して嵌合抵抗よりも大きい回動力を付与すると、ロックアーム３５が弾性撓みしつつ突当面３９が係止面２３から解離し、その解離直後の慣性力により、レバー３０は慣性付与位置から一気に正規嵌合位置に至り、このレバー３０の回動に伴なって両ハウジング１０，２０も一気に正規嵌合状態に至る。このときの、操作部３１に付与する操作力（回動力）の向きは、下向き、即ち嵌合凹部２１に対する第１ハウジング１０の嵌合方向（両ハウジング１０，２０の嵌合方向）と同じ方向である。
【００１９】
また、レバー３０の回動の際には、弾性撓みしたロックアーム３５のうち凹部３６と切欠部３８との間の部分がロック部２２を乗り越え、正規嵌合位置に達すると同時に乗り越えが完了し、ロックアーム３５が径方向外側へ弾性復帰する。この弾性復帰により、当接面３７がロック面２４に対して下から係止し、この係止によってレバー３０が正規嵌合位置にロックされると共に、両ハウジング１０，２０も正規嵌合状態にロックされる。
【００２０】
このロック状態では、当接面３７とロック面２４との係止方向がレバー３０の回動に伴なう操作部３１の変位方向とほぼ平行な方向であるため、ロック機能の信頼性が高い。また、上方から見たときに、凹部３６は上方へ開放されているため、この開放部分を通してロック部２２の存在（ロック部２２がロックアーム３５と係止している状態）を目視により確認することができる。
慣性付与位置から正規嵌合位置までの回動ストロークは小さいため、ロックアーム３５がロック部２２に係止してロック状態に至るまでに、レバー３０に付与された慣性はほとんど減衰しない。したがって、ロックアーム３５はレバー３０の慣性によって確実に弾性撓みし、確実にロック部２２との係止状態に至る。
【００２１】
また、慣性付与位置から正規嵌合位置に至る間、ロック部２２に対してロックアーム３５が摺接する面（当接面３７と突当面３９との間の径方向外側の面）は、操作部３１の変位方向に対して僅かに斜め方向を向く滑らかな平坦面であるため、ロックアーム３５とロック部２２との間で引っ掛かりを生じることがなく、ロックアーム３５の弾性撓みが円滑に行われる。
嵌合されている両ハウジング１０，２０を離脱する際には、ロックアーム３５の解除部を径方向内側へ押し操作することにより、ロックアーム３５をロック部２２から解離させてロック解除する。そして、このロック解除状態を保ったまま、操作部３１を嵌合方向とは反対方向（嵌合凹部２１から第１ハウジング１０を抜き取る方向と同方向）へ変位させ、さらに、レバー３０を図１〜３における時計回り方向へ回動させる。これにより、カム溝３４とカムフォロア２５とのカム作用によって第１ハウジング１０が第２ハウジング２０から離脱される。
【００２２】
上述のように本実施形態では、レバー３０の回動によって両ハウジング１０，２０を嵌合する過程において、レバー３０に対する慣性が、ロックアーム３５とロック部２２との係止によるロック状態となる直前に付与されるようになっているので、ロックアーム３５が弾性撓みしつつロック部２２に係止するときのレバー３０の慣性力は、十分に大きい。したがって、レバー３０が確実に正規嵌合位置に到達するとともに、ロックアーム３５とロック部２２との係止によるレバー３０のロックが確実に行われる。
【００２３】
また、レバー３０を正規嵌合位置にロックするためのロック手段であるロックアーム３５とロック部２２が、夫々、レバー３０に慣性を付与するための慣性ロック手段である撓みロック片と係止部とを兼ねているので、撓みロック片と係止部とをロック手段とは別に形成するものに比べると、形状を簡素化することができる。
［実施形態２］
次に、本発明を具体化した実施形態２を図４乃至図８を参照して説明する。
【００２４】
本実施形態２のレバー式コネクタは、第１ハウジング４０と、第２ハウジング５０と、レバー６０とを備えて構成されている。
第１ハウジング４０は、合成樹脂製であり、全体として方形のブロック状をなす。第１ハウジング４０内には、角筒部を有する雌端子金具（図示せず）が収容されている。第１ハウジング４０の左右両外側面には、レバー６０を支持するための一対の支持軸４１が突出形成されている。
【００２５】
第２ハウジング５０は、合成樹脂製であり、上面に開放する方形の嵌合凹部５１を有している。尚、本実施形態では、第２ハウジング５０が全体としてブロック状をなす形態である場合について説明するが、これに限らず、基板部の上面に複数の角形フード部が並んでいてその１つの角形フード部が第２ハウジング５０を構成するものであってもよい。嵌合凹部５１内においては、その底面から雄端子金具（図示せず）のタブが上向きに突出されている。
【００２６】
嵌合凹部５１の前面壁には、その上端内面から内向き（後方）へ突出するロック部５２が形成されている。ロック部５２の上面は水平よりも後方へ下り勾配となった傾斜面５３とされているとともに、下面はほぼ水平なロック面５４となっている。嵌合凹部５１の左右両側壁には、その内面から内向きに突出する一対の円柱状をなすカムフォロア５５が形成されている。また、嵌合凹部５１の左右両側壁の上端縁の一部（後述する撓みロック片６８との対応部分）は、係止部５６とされている。
【００２７】
レバー６０は、操作部６１の左右両端から一対の板状のアーム部６２を延出したものであり、アーム部６２の軸受孔６３を支持軸４１に嵌合させることにより、第１ハウジング４０に対して回動可能に支持されている。アーム部６２には、その入口を外周縁に開口させたカム溝６４が形成されている。操作部６１における左右方向中央位置には、ロックアーム６５が形成されている。ロックアーム６５は、側方（レバー６０の回動中心軸と同方向）から見ると、レバー６０が嵌合方向へ回動するときの操作部６１の変位方向とは反対方向へ片持ち状に延出している。かかる片持ち支持形態のロックアーム６５は、その支持端部（図５における下端部）を支点として延出端側を径方向内側（図４〜６における右側）へ変位させるように弾性撓みし得るようになっている。ロックアーム６５の径方向外側の面には凹部６６が形成され、この凹部６６には、ロック面５４に当接可能な当接面６７が形成されている。
【００２８】
両アーム部６２における操作部６１と支持軸４１との間の位置には、撓みロック片６８が形成されている。この撓みロック片６８は、アーム部６２の内外両面間に連通する略「Ｕ」字形（略「コ」字形）のスリット６９を形成することにより形成されている。撓みロック片６８は、レバー６０が嵌合方向へ回動するときの操作部６１の変位方向とは反対方向へ片持ち状に板状に延出している。かかる片持ち支持形態の撓みロック片６８は、その支持端部を支点としてレバー６０の回動中心軸と略同方向（操作部６１の変位方向に対して略直角な方向）へ内側に変位しつつ弾性撓みし得るようになっている。撓みロック片６８の延出端部には、アーム部６２の外側面よりも更に外側へ突出する係止突起７０が形成されている。係止突起７０のうちレバー６０の嵌合方向への回動方向と同じ側を向いた面は、レバー６０の回動方向と直交する径方向面に対して少し傾いた平坦な係止面７１とされている。また、係止突起７０における係止面７１とは反対側の面は、レバー６０の回動方向に対して大きく傾斜した傾斜面７２となっている。
【００２９】
次に、本実施形態の作用を説明する。
第２ハウジング５０は、その嵌合凹部５１が上向きに開口するように待機している。第１ハウジング４０においては、予め、レバー６０がカム溝６４の入口を下向きにする姿勢（ほぼ起立した姿勢）に保持されている。この状態で第１ハウジング４０及びアーム部６２の一部を嵌合凹部５１内に落とし込むように嵌合させ、カム溝６４の入口をカムフォロア５５に嵌合させる。この状態では、アーム部６２の一部が第１ハウジング４０の外側面と嵌合凹部５１の内側面との間の隙間に嵌入され、レバー６０の回動中心軸方向への遊動やガタ付きが規制されている。また、操作部６１は嵌合凹部５１から上方へ突出している。
【００３０】
この状態から、操作部６１に手や指を宛がって図４〜６における反時計回り方向へ回動させる。すると、カム溝６４とカムフォロア５５との係合によるカム作用により、レバー６０の回動の進行に伴なって第１ハウジング４０が更に深く嵌合凹部５１内に嵌合されていく。
そして、レバー６０が正規嵌合位置の直前であって、ロックアーム６５の径方向外側の面（図５における左側の面）が第２ハウジング５０のロック部５２の先端に係止する慣性付与位置（ロックアーム６５が弾性撓みする前の位置）まで回動が進むと、図５に示すように、撓みロック片６８の係止面７１が第２ハウジング５０の係止部５６に対して上から当接する状態に至る。このときの係止面７１は、操作部６１の変位方向（周方向）に対して僅かに斜め方向となっているが、係止部５６の上縁に対しては前後方向（レバー６０の回動中心に向かう径方向とほぼ同方向）に沿って線接触又は面接触する。この係止面７１と係止部５６との突き当たり方向は、嵌合方向への操作部６１の変位方向とほぼ同じ方向であるが、係止面７１と係止部５６との係止代は、後述するロック面５４と当接面６７との係止代よりも小さい。この撓みロック片６８と係止部５６との係止により、レバー６０は、一旦、慣性付与位置において嵌合方向への回動を規制される。
【００３１】
この状態から、操作部６１に対して嵌合抵抗よりも大きい回動力を付与すると、撓みロック片６８が内側へ弾性撓みしつつその係止突起７０を係止部５６から解離させ、その解離直後の慣性力により、レバー６０は慣性付与位置から一気に正規嵌合位置に至り、このレバー６０の回動に伴なって両ハウジング４０，５０も一気に正規嵌合状態に至る。このときの、操作部６１に付与する操作力（回動力）の向きは、下向き、即ち嵌合凹部５１に対する第１ハウジング４０の嵌合方向（両ハウジング４０，５０の嵌合方向）と同じ方向である。また、正規嵌合状態では、撓みロック片６８は嵌合凹部５１内に収容され、係止突起７０が嵌合凹部５１の内側面に当接することによって撓みロック片６８は弾性撓みした状態のままとなる。
【００３２】
また、レバー６０の回動の際には、ロックアーム６５が、その径方向外側の面をロック部５２に摺接させつつ弾性撓みし、レバー６０が正規嵌合位置に達すると同時に径方向外側の面がロック部５２を通過し、ロックアーム６５が径方向外側へ弾性復帰する。この弾性復帰により、当接面６７がロック面５４に対して下から係止し、この係止によってレバー６０が正規嵌合位置にロックされると共に、両ハウジングも正規嵌合状態にロックされる。
【００３３】
このロック状態では、当接面６７とロック面５４との係止方向がレバー６０の回動に伴なう操作部６１の変位方向とほぼ平行な方向であるため、ロック機能の信頼性が高い。また、上方から見たときに、凹部６６は上方へ開放されているため、この開放部分を通してロック部５２の存在（ロック部５２がロックアーム６５と係止している状態）を目視により確認することができる。
慣性付与位置から正規嵌合位置までの回動ストロークは小さいため、ロックアーム６５がロック部５２に係止してロック状態に至るまでに、レバー６０に付与された慣性はほとんど減衰しない。したがって、ロックアーム６５はレバー６０の慣性によって確実に弾性撓みし、確実にロック部５２との係止状態に至る。
【００３４】
また、慣性付与位置から正規嵌合位置に至る間、ロック部５２に対してロックアーム６５が摺接する径方向外側の面は、操作部６１の変位方向に対して僅かに斜めとなった滑らかな平坦面であるため、ロックアーム６５とロック部５２との間で引っ掛かりを生じることがなく、ロックアーム６５の弾性撓みが円滑に行われる。
嵌合されている両ハウジング４０，５０を離脱する際には、ロックアーム６５の解除部を径方向内側へ押し操作することにより、ロックアーム６５をロック部５２から解離させてロック解除する。そして、このロック解除状態を保ったまま、操作部６１を嵌合方向とは反対方向（嵌合凹部５１から第１ハウジング４０を抜き取る方向と同方向）へ変位させ、さらに、レバー６０を図４〜６における時計回り方向へ回動させる。これにより、カム溝６４とカムフォロア５５とのカム作用によって第１ハウジング４０が第２ハウジング５０から離脱される。
【００３５】
上述のように本実施形態では、レバー６０の回動によって両ハウジング４０，５０を嵌合する過程において、レバー６０に対する慣性が、ロックアーム６５とロック部５２との係止によるロック状態となる直前に付与されるようになっているので、ロックアーム６５が弾性撓みしつつロック部５２に係止するときのレバー６０の慣性力は、十分に大きい。したがって、レバー６０が確実に正規嵌合位置に到達するとともに、ロックアーム６５とロック部５２との係止によるレバー６０のロックが確実に行われる。
【００３６】
また、撓みロック片６８が設けられているレバー６０のアーム部６２は、第１ハウジング４０の外面と第２ハウジング５０の嵌合凹部５１の内面との隙間に嵌入されているので、レバー６０の回動中心軸方向に遊動する虞がない。したがって、このアーム部６２に支持されている撓みロック片６８が第２ハウジング５０の係止部５６に係止している状態において、アーム部６２が内側（係止突起７０が係止部５６から解離する方向）へ遊動することがなく、撓みロック片６８と係止部５６との係止代が確保され、慣性ロック機能の信頼性が高い。さらに、カム溝６４とカムフォロア５５との係合によってアーム部６２には外側へ拡がる方向の力が作用しても、アーム部６２は嵌合凹部５１の内側面に当接することによって拡開変形が防止される。
【００３７】
また、嵌合凹部５１の開口縁をそのまま第２ハウジング５０側の慣性ロック手段（係止部５６）として利用しているので、嵌合凹部５１に係止部５６を形成するための特別な形状を設定する必要がなく、第２ハウジング５０の形状の簡素化が実現されている。
［実施形態３］
次に、本発明を具体化した実施形態３を図９乃至図１３を参照して説明する。
本実施形態３のレバー式コネクタは、第１ハウジング８０と、第２ハウジング９０と、レバー１００とを備えて構成されている。
【００３８】
第１ハウジング８０は、合成樹脂製であり、全体として方形のブロック状をなす。第１ハウジング８０内には、角筒部を有する雌端子金具（図示せず）が収容されている。第１ハウジング８０の左右両外側面には、レバー１００を支持するための一対の支持軸が突出形成されている。
第２ハウジング９０は、合成樹脂製であり、上面に開放する方形の嵌合凹部９１を有している。尚、本実施形態では、第２ハウジング９０が全体としてブロック状をなす形態である場合について説明するが、これに限らず、基板部の上面に複数の角形フード部が並んでいてその１つの角形フード部が第２ハウジング９０を構成するものであってもよい。嵌合凹部９１内においては、その底面から雄端子金具（図示せず）のタブが上向きに突出されている。
【００３９】
嵌合凹部９１の前面壁には、その上端内面から内向き（後方）へ突出するロック部９２が形成されている。ロック部９２の上面は水平よりも後方へ下り勾配となった傾斜面９３とされているとともに、下面はほぼ水平なロック面９４となっている。嵌合凹部９１の左右両側壁には、その内面から内向きに突出する一対の円柱状をなすカムフォロア９５が形成されている。
また、嵌合凹部９１の左右両側壁における下端位置（後述するレバー１００の撓みロック片１０８との対応位置）には、係止部９６が突出形成されている。この係止部９６の上面は、内側へ向かって下り勾配の係止面９７となっており、係止部９６の下面は、内側へ向かって上り勾配のガイド面９８となっている。また、係止部９６の突出寸法は、レバー１００のアーム部１０２の板厚よりも小さい寸法とされている。
【００４０】
レバー１００は、操作部１０１の左右両端から一対の板状のアーム部１０２を延出したものであり、アーム部１０２の軸受孔１０３を支持軸８１に嵌合させることにより、第１ハウジング８０に対して回動可能に支持されている。アーム部１０２には、その入口を外周縁に開口させたカム溝１０４が形成されている。操作部１０１における左右方向中央位置には、ロックアーム１０５が形成されている。ロックアーム１０５は、側方（レバー１００の回動中心軸と同方向）から見ると、レバー１００が嵌合方向へ回動するときの操作部１０１の変位方向とは反対方向へ片持ち状に延出している。かかる片持ち支持形態のロックアーム１０５は、その支持端部（図１０における下端部）を支点として延出端側を径方向内側（図９〜１１における右側）へ変位させるように弾性撓みし得るようになっている。ロックアーム１０５の径方向外側の面には凹部１０６が形成され、この凹部１０６には、ロック面９４に当接可能な当接面１０７が形成されている。
【００４１】
両アーム部１０２における操作部１０１と支持軸８１との間の位置には、撓みロック片１０８が形成されている。この撓みロック片１０８は、アーム部１０２の外縁のうちレバー１００の嵌合方向への回動方向前方の縁部に沿って位置している。即ち、アーム部１０２の前縁部に近い部分には、内面から外面へ貫通する形態で略方形の窓孔１０９が形成され、この窓孔１０９の開口縁とアーム部１０２の前縁部（図１１における下縁部）との間の部分が撓みロック片１０８となっている。この撓みロック片１０８は、レバー１００の回動方向と直角な径方向とほぼ平行に延び、その延出方向両端部がアーム部１０２に支持された形態となっている。アーム部１０２の前縁部のうち撓みロック片１０８と対応する領域は係止縁１０２Ｆとされている。かかる両端支持形態の撓みロック片１０８は、全体として湾曲するようにレバー１００の回動中心軸と略同方向（操作部１０１の変位方向に対して略直角な方向）へ内側に弾性撓みし得るようになっている。尚、第１ハウジング８０の外側面とアーム部１０２の内側面との間には、撓みロック片１０８の弾性撓みを許容するための隙間（図示せず）が確保されている。
【００４２】
次に、本実施形態の作用を説明する。
第２ハウジング９０は、その嵌合凹部９１が上向きに開口するように待機している。第１ハウジング８０においては、予め、レバー１００がカム溝１０４の入口を下向きにする姿勢（ほぼ起立した姿勢）に保持されている。この状態で第１ハウジング８０及びアーム部１０２の一部を嵌合凹部９１内に落とし込むように嵌合させ、カム溝１０４の入口をカムフォロア９５に嵌合させる。この状態では、アーム部１０２の一部が第１ハウジング８０の外側面と嵌合凹部９１の内側面との間の隙間に嵌入され、レバー１００の回動中心軸方向への遊動やガタ付きが規制されている。
【００４３】
この状態において、嵌合凹部９１から上方へ突出している操作部１０１に手や指を宛がって図９〜１１における反時計回り方向へ回動させると、カム溝１０４とカムフォロア９５との係合によるカム作用により、レバー１００の回動の進行に伴なって第１ハウジング８０が更に深く嵌合凹部９１内に嵌合されていく。
そして、レバー１００が正規嵌合位置の直前であって、ロックアーム１０５の径方向外側の面（図１０における左側の面）が第２ハウジング９０のロック部９２の先端に当接する慣性付与位置（ロックアーム１０５が弾性撓みする前の位置）まで回動が進むと、図１０に示すように、撓みロック片１０８の係止縁１０２Ｆが第２ハウジング９０の係止部９６の係止面９７に対して上から当接する状態に至る。この撓みロック片１０８と係止部９６との係止により、レバー１００は、一旦、慣性付与位置において嵌合方向への回動を規制される。
【００４４】
この状態から、操作部１０１に対して嵌合抵抗よりも大きい回動力を付与すると、撓みロック片１０８が内側へ弾性撓みしつつその係止縁１０２Ｆを係止部９６から解離させ、その解離直後の慣性力により、レバー１００は慣性付与位置から一気に正規嵌合位置に至り、このレバー１００の回動に伴なって両ハウジング８０，９０も一気に正規嵌合状態に至る。このときの、操作部１０１に付与する操作力（回動力）の向きは、下向き、即ち嵌合凹部９１に対する第１ハウジング８０の嵌合方向（両ハウジング８０，９０の嵌合方向）と同じ方向である。レバー１００が正規嵌合位置に達すると、係止部９６が窓孔１０９に嵌合するとともに、撓みロック片１０８が外側へ弾性復帰する。また、撓みロック片１０８は嵌合凹部９１内に収容された状態となる。
【００４５】
また、レバー１００の回動の際には、ロックアーム１０５が、その径方向外側の面をロック部９２に摺接させつつ弾性撓みし、レバー１００が正規嵌合位置に達すると同時に径方向外側の面がロック部９２を通過し、ロックアーム１０５が径方向外側へ弾性復帰する。この弾性復帰により、当接面１０７がロック面９４に対して下から係止し、この係止によってレバー１００が正規嵌合位置にロックされると共に、両ハウジング８０，９０も正規嵌合状態にロックされる。
【００４６】
このロック状態では、当接面１０７とロック面９４との係止方向がレバー１００の回動に伴なう操作部１０１の変位方向とほぼ平行な方向であるため、ロック機能の信頼性が高い。また、上方から見たときに、凹部１０６は上方へ開放されているため、この開放部分を通してロック部９２の存在（ロック部９２がロックアーム１０５と係止している状態）を目視により確認することができる。
慣性付与位置から正規嵌合位置までの回動ストロークは小さいため、ロックアーム１０５がロック部９２に係止してロック状態に至るまでに、レバー１００に付与された慣性はほとんど減衰しない。したがって、ロックアーム１０５はレバー１００の慣性によって確実に弾性撓みし、確実にロック部９２との係止状態に至る。
【００４７】
また、慣性付与位置から正規嵌合位置に至る間、ロック部９２に対してロックアーム１０５が摺接する径方向外側の面は、操作部１０１の変位方向に対して僅かに斜め方向の平坦面であるため、ロックアーム１０５とロック部９２との間で引っ掛かりを生じることがなく、ロックアーム１０５の弾性撓みが円滑に行われる。
嵌合されている両ハウジング８０，９０を離脱する際には、ロックアーム１０５の解除部を径方向内側へ押し操作することにより、ロックアーム１０５をロック部９２から解離させてロック解除する。そして、このロック解除状態を保ったまま、操作部１０１を嵌合方向とは反対方向（嵌合凹部９１から第１ハウジング８０を抜き取る方向と同方向）へ変位させ、さらに、レバー１００を図９〜１１における時計回り方向へ回動させる。これにより、カム溝１０４とカムフォロア９５とのカム作用によって第１ハウジング８０が第２ハウジング９０から離脱される。
【００４８】
上述のように本実施形態では、レバー１００の回動によって両ハウジング８０，９０を嵌合する過程において、レバー１００に対する慣性が、ロックアーム１０５とロック部９２との係止によるロック状態となる直前に付与されるようになっているので、ロックアーム１０５が弾性撓みしつつロック部９２に係止するときのレバー１００の慣性力は、十分に大きい。したがって、レバー１００が確実に正規嵌合位置に到達するとともに、ロックアーム１０５とロック部９２との係止によるレバー１００のロックが確実に行われる。
【００４９】
また、撓みロック片１０８が設けられているレバー１００のアーム部１０２は、第１ハウジング８０の外面と第２ハウジング９０の嵌合凹部９１の内面との隙間に嵌入されているので、カム溝１０４とカムフォロア９５との係合によってアーム部１０２には外側へ拡がる方向の力が作用しても、アーム部１０２は嵌合凹部９１の内側面に当接することによって拡開変形が防止される。
また、撓みロック片１０８が片持ち状に延出する形態の場合、成型時や成型後の取り扱いの際などに変形を来たすことが懸念されるが、本実施形態３の撓みロック片１０８はアーム部１０２に両端支持状態で形成されているので、変形などの虞がない。
【００５０】
［他の実施形態］
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）実施形態１において、ロックアーム（撓みロック片）の延出方向は、嵌合時におけるレバーの回動方向と反対方向に限らず、嵌合時におけるレバーの回動方向とほぼ同じ方向でもよく、レバーの回動方向に対して略直交する方向、即ちレバーの回動軸の軸線とほぼ平行な方向や、径方向（レバーの回動中心に向かう方向、又はレバーの回動中心から遠ざかる方向）でもよい。
【００５１】
（２）実施形態１において、ロックアーム（撓みロック片）の弾性撓み方向は、径方向に限らず、レバーの回動中心と略平行な方向でもよい
（３）実施形態２において、ロックアームの延出方向は、嵌合時におけるレバーの回動方向とは反対方向に限らず、嵌合時におけるレバーの回動方向とほぼ同じ方向でもよく、径方向（レバーの回動中心に向かう方向、又はレバーの回動中心から遠ざかる方向）でもよい。
【００５２】
（４）実施形態２，３において、ロックアームの弾性撓み方向は、レバーの回動中心と平行な方向に限らず、径方向でもよい。
（５）実施形態２において、嵌合凹部の内壁に、撓みロック片と係止することでレバーを正規嵌合位置にロック可能なロック部を設けてもよい。即ち、撓みロック片がロックアームを兼ねるようにしてもよい。この場合、操作部に設けたロックアームは不要となる。
（６）実施形態１，２において撓みロック片は片持ち支持形態でなく、両端支持形態としてもよい。
【００５３】
（７）実施形態１，２，３において、ロックアームはレバーではなく、第２ハウジング（嵌合凹部）側に設けてもよい。
（８）実施形態１，２，３において、ロックアームは、操作部ではなく、アーム部に設けてもよい。
（９）実施形態１，２，３において、ロックアームは、片持ち状に延出する形態に限らず、両端支持でもよい。
（１０）実施形態１，２，３において、第１ハウジングを雄ハウジングとし、第２ハウジングを雌ハウジングとしてもよい。
【図面の簡単な説明】
【図１】実施形態１における嵌合途中の状態をあらわす断面図
【図２】実施形態１においてレバーのロックアームが第２ハウジングのロック部に対して上から当接した状態をあらわす断面図
【図３】実施形態１においてロックアームとロック部が係止して、レバーが正規嵌合位置にロックされている状態をあらわす断面図
【図４】実施形態２における嵌合途中の状態をあらわす断面図
【図５】実施形態２においてレバーのロックアームが第２ハウジングのロック部に対して上から当接した状態をあらわす断面図
【図６】実施形態２においてロックアームとロック部が係止して、レバーが正規嵌合位置にロックされている状態をあらわす断面図
【図７】実施形態２においてロックアームとロック部が係止したロック状態をあらわす平面図
【図８】実施形態２の第２ハウジングの平面図
【図９】実施形態３における嵌合途中の状態をあらわす断面図
【図１０】実施形態３においてレバーのロックアームが第２ハウジングのロック部に対して上から当接した状態をあらわす断面図
【図１１】実施形態３においてロックアームとロック部が係止して、レバーが正規嵌合位置にロックされている状態をあらわす断面図
【図１２】実施形態３においてロックアームとロック部が係止したロック状態をあらわす平面図
【図１３】実施形態３の第２ハウジングの平面図
【符号の説明】
１０…第１ハウジング
２０…第２ハウジング
２１…嵌合凹部
２２…ロック部（係止部）
３０…レバー
３１…操作部
３２…アーム部
３５…ロックアーム（撓みロック片）
４０，８０…第１ハウジング
５０，９０…第２ハウジング
５１，９１…嵌合凹部
５２，９２…ロック部
５６，９６…係止部
６０，１００…レバー
６１，１０１…操作部
６２，１０２…アーム部
６５，１０５…ロックアーム
６８，１０８…撓みロック片
【図１】
2004288442.tif 000003
【図２】
2004288442.tif 000004
【図３】
2004288442.tif 000005
【図４】
2004288442.tif 000006
【図５】
2004288442.tif 000007
【図６】
2004288442.tif 000008
【図７】
2004288442.tif 000009
【図８】
2004288442.tif 000010
【図９】
2004288442.tif 000011
【図１０】
2004288442.tif 000012
【図１１】
2004288442.tif 000013
【図１２】
2004288442.tif 000014
【図１３】
2004288442.tif 000015